(57)【要約】【課題】移動先でノート型パソコンの記憶内容を容易かつ迅速に印刷可能なパソコン収納バッグを提供する。【解決手段】ケース本体１１は、蓋体１２を開いた状態でパソコン１を収納して操作可能に構成されている。蓋体１２は、ケース本体１１に対しヒンジ部材により互いに開閉可能に結合されている。プリンタ台１３は、ケース本体１１と蓋体１２との間に、ケース本体１１を下側にした状態でプリンタ２を上に設置可能に設けられている。第１リンク部材１４は、プリンタ台１３がケース本体１１の上方でケース本体１１に対し平行運動可能に、ケース本体１１およびプリンタ台１３に連結されている。第２リンク部材１５は、蓋体１２を開いたときプリンタ台１３が蓋体１２とともに移動してケース本体１１に対しずれるよう、蓋体１２およびプリンタ台１３に連結されている。【選択図】図１
0003101729.tif 000002
【実用新案登録請求の範囲】
【請求項１】
ケース本体と、蓋体と、プリンタ台と、第１リンク部材と、第２リンク部材とを有し、
前記ケース本体は前記蓋体を開いた状態でパソコンを収納して操作可能に構成され、
前記蓋体は前記ケース本体に対しヒンジ部材により互いに開閉可能に結合され、
前記プリンタ台は前記ケース本体と前記蓋体との間に前記ケース本体を下側にした状態でプリンタを上に設置可能に設けられ、
前記第１リンク部材は前記プリンタ台が前記ケース本体の上方で前記ケース本体に対し平行運動可能に前記ケース本体および前記プリンタ台に連結され、
前記第２リンク部材は前記蓋体を開いたとき前記プリンタ台が前記蓋体とともに移動して前記ケース本体に対しずれるよう前記蓋体および前記プリンタ台に連結されていることを、
特徴とするパソコン収納バッグ。
【請求項２】
パソコン台を有し、前記パソコン台は前記ケース本体を下側にした状態でパソコンを上に設置可能であって前記ケース本体に平行移動可能に設けられていることを、特徴とする請求項１記載のパソコン収納バッグ。
【請求項３】
ケース本体と、蓋体と、プリンタ台と、パソコン台と、伝動部材とを有し、
前記ケース本体は前記蓋体を開いた状態でパソコンを収納して操作可能に構成され、
前記蓋体は前記ケース本体に対しヒンジ部材により互いに開閉可能に結合され、
前記プリンタ台は前記ケース本体と前記蓋体との間に前記ケース本体を下側にした状態でプリンタを上に設置可能であって前記ケース本体に平行移動可能に設けられ、
前記パソコン台は前記ケース本体を下側にした状態でパソコンを上に設置可能であって前記ケース本体に平行移動可能に設けられ、
前記伝動部材は前記プリンタ台および前記パソコン台を互いに反対方向に平行移動させるよう前記プリンタ台および前記パソコン台に連結されていることを、
特徴とするパソコン収納バッグ。
【考案の詳細な説明】
【技術分野】
【０００１】
本考案は、ノート型パソコンおよびプリンタを収納可能なパソコン収納バッグに関する。
【背景技術】
【０００２】
従来のパソコン収納バッグとして、ノート型パソコンを収納し持ち運びを容易にするものがある（例えば、特許文献１参照）。
【０００３】
【特許文献１】特開２０００−２１７６２２号公報
【考案の開示】
【考案が解決しようとする課題】
【０００４】
しかしながら、特許文献１に記載のパソコン収納バッグは、ノート型パソコンとともにプリンタを収納することはできなかった。このため、ノート型パソコンの記憶内容を移動先で印刷するには、プリンタを他の収納バッグに入れて持ち運び、収納バッグから取り出してノート型パソコンとの配線を接続しなければならず、印刷の準備に時間と手数がかかるという課題があった。
【０００５】
本考案は、このような従来の課題に着目してなされたもので、移動先でノート型パソコンの記憶内容を容易かつ迅速に印刷可能なパソコン収納バッグを提供することを目的とする。
【課題を解決するための手段】
【０００６】
上記目的を達成するために、第１の本考案に係るパソコン収納バッグは、ケース本体と、蓋体と、プリンタ台と、第１リンク部材と、第２リンク部材とを有し、前記ケース本体は前記蓋体を開いた状態でパソコンを収納して操作可能に構成され、前記蓋体は前記ケース本体に対しヒンジ部材により互いに開閉可能に結合され、前記プリンタ台は前記ケース本体と前記蓋体との間に前記ケース本体を下側にした状態でプリンタを上に設置可能に設けられ、前記第１リンク部材は前記プリンタ台が前記ケース本体の上方で前記ケース本体に対し平行運動可能に前記ケース本体および前記プリンタ台に連結され、前記第２リンク部材は前記蓋体を開いたとき前記プリンタ台が前記蓋体とともに移動して前記ケース本体に対しずれるよう前記蓋体および前記プリンタ台に連結されていることを、特徴とする。
【０００７】
第１の本考案に係るパソコン収納バッグでは、ケース本体にパソコンを載せ、プリンタ台の上にプリンタを載せて、それらを収納して持ち運ぶことができる。プリンタとパソコンとの配線ケーブルは予め接続しておくことにより、移動先で使用するたびに接続する手数と時間とを省き、迅速な印刷が可能となる。移動先で使用するとき、ケース本体を下側にした状態で蓋体を開く。蓋体を開いたとき、プリンタ台が第１リンク部材および第２リンク部材により蓋体とともに移動してケース本体の上方でケース本体に対しずれるよう平行運動する。これにより、プリンタに遮られることなく、パソコンの操作が可能となっている。パソコンの記憶内容は、プリンタで印刷することができる。このように、移動先でノート型パソコンの記憶内容を容易かつ迅速に印刷可能である。
【０００８】
蓋体を閉じると、第１リンク部材および第２リンク部材により、プリンタ台はケース本体と蓋体の間に移動する。これにより、ケース本体と蓋体との内部に再びパソコンおよびプリンタを収納することができる。なお、収納するパソコンは、ノート型パソコンまたは携帯型パソコンから成ることが好ましい。プリンタは、薄くて小型なものが好ましい。
【０００９】
第１の本考案に係るパソコン収納バッグは、パソコン台を有し、前記パソコン台は前記ケース本体を下側にした状態でパソコンを上に設置可能であって前記ケース本体に平行移動可能に設けられていることが好ましい。この構成では、蓋体を開いてパソコンを操作するとき、パソコン台を平行移動させてプリンタ台から手前にずらすことができる。これにより、パソコンの操作スペースを広げ、操作を容易にすることができる。
【００１０】
第２の本考案に係るパソコン収納バッグは、ケース本体と、蓋体と、プリンタ台と、パソコン台と、伝動部材とを有し、前記ケース本体は前記蓋体を開いた状態でパソコンを収納して操作可能に構成され、前記蓋体は前記ケース本体に対しヒンジ部材により互いに開閉可能に結合され、前記プリンタ台は前記ケース本体と前記蓋体との間に前記ケース本体を下側にした状態でプリンタを上に設置可能であって前記ケース本体に平行移動可能に設けられ、前記パソコン台は前記ケース本体を下側にした状態でパソコンを上に設置可能であって前記ケース本体に平行移動可能に設けられ、前記伝動部材は前記プリンタ台および前記パソコン台を互いに反対方向に平行移動させるよう前記プリンタ台および前記パソコン台に連結されていることを、特徴とする。
【００１１】
第２の本考案に係るパソコン収納バッグでは、パソコン台にパソコンを載せ、プリンタ台の上にプリンタを載せて、それらを収納して持ち運ぶことができる。プリンタとパソコンとの配線ケーブルは予め接続しておくことにより、移動先で使用するたびに接続する手数と時間とを省き、迅速な印刷が可能となる。移動先で使用するとき、ケース本体を下側にした状態で蓋体を開く。パソコン台を平行移動させると、プリンタ台が伝動部材によりパソコン台と反対方向に平行移動する。これにより、プリンタに遮られることなく、パソコンの操作が可能となっている。パソコンの記憶内容は、プリンタで印刷することができる。このように、移動先でノート型パソコンの記憶内容を容易かつ迅速に印刷可能である。
【００１２】
パソコン台を元の位置に平行移動させると、プリンタ台が伝動部材により元の位置に平行移動する。蓋体を閉じ、ケース本体と蓋体との内部に再びパソコンおよびプリンタを収納することができる。なお、収納するパソコンは、ノート型パソコンまたは携帯型パソコンから成ることが好ましい。プリンタは、薄くて小型なものが好ましい。
【考案の効果】
【００１３】
本考案によれば、移動先でノート型パソコンの記憶内容を容易かつ迅速に印刷可能なパソコン収納バッグを提供することができる。
【考案を実施するための最良の形態】
【００１４】
以下、図面に基づき本考案の実施の形態を説明する。
図１、図２、図３および図４（ａ）は、本考案の第１の実施の形態のパソコン収納バッグを示している。
図１および図２に示すように、パソコン収納バッグ１０は、ケース本体１１と蓋体１２とプリンタ台１３と４つの第１リンク部材１４と２つの第２リンク部材１５と２つの留金１６と持ち手１７とを有している。
【００１５】
図１に示すように、ケース本体１１は、矩形台部１１ａと側壁部１１ｂとを有している。側壁部１１ｂは、矩形台部１１ａの長さ方向に沿った一方の縁部を開放し三方を取り囲むように矩形台部１１ａの縁部に沿って垂直に設けられている。ケース本体１１は、蓋体１２を開いた状態で矩形台部１１ａにパソコン１を収納して操作可能に構成されている。
【００１６】
蓋体１２は、矩形蓋部１２ａと囲い部１２ｂとを有している。囲い部１２ｂは、矩形蓋部１２ａを取り囲むように矩形蓋部１２ａの縁部に沿って垂直に設けられている。蓋体１２は、ケース本体１１に対しヒンジ部材１８により互いに開閉可能に結合されている。ヒンジ部材１８は、２つの蝶番から成り、ケース本体１１の長さ方向に沿った側壁部１１ｂの外面と、蓋体１２の長さ方向に沿った囲い部１２ｂの一方の外面とを接続するよう設けられている。
図２に示すように、ケース本体１１および蓋体１２は、蓋体１２を閉じたとき直方体になり、隙間ができないよう形成されている。
【００１７】
図１に示すように、プリンタ台１３は、矩形状であり、幅方向の一方の縁部に沿ってアダプターボックス１３ａが設けられている。プリンタ台１３は、ケース本体１１と蓋体１２との間に、ケース本体１１を下側にした状態でプリンタ２を上に設置可能に設けられている。プリンタ台１３は、上に設置するプリンタ２の形状に合わせて、上面の形状を成形している。アダプターボックス１３ａは、家庭用電源に接続可能なＡＣアダプター１３ｂを有し、プリンタ２およびパソコン１の電源を接続可能に構成されている。なお、アダプターボックス１３ａは、バッテリーを有していてもよい。
【００１８】
各第１リンク部材１４は、細長いステンレス製の板から成り、両端に取付孔を有している。各第１リンク部材１４は、プリンタ台１３がケース本体１１の上方でケース本体１１に対し平行運動可能に、ケース本体１１の幅方向に沿った側壁部１１ｂの内面１１ｃ、およびプリンタ台１３の幅方向に沿った側面１３ｃに連結されている。第１リンク部材１４は、２組の対応する内面１１ｃおよび側面１３ｃに、それぞれ２つづつ平行に連結されている。各第１リンク部材１４は、各取付孔に固定用回転金具１９を挿入して、ケース本体１１およびプリンタ台１３に回転可能に取り付けられている。
【００１９】
各第２リンク部材１５は、細長いステンレス製の板から成り、両端に取付孔を有している。各第２リンク部材１５は、蓋体１２を開いたときプリンタ台１３が蓋体１２とともに移動してケース本体１１に対しずれるよう、蓋体１２の幅方向に沿った囲い部１２ｂの内面１２ｃ、およびプリンタ台１３の幅方向に沿った側面１３ｃに連結されている。第２リンク部材１５は、２組の対応する内面１２ｃおよび側面１３ｃに、それぞれ１つづつ連結されている。各第２リンク部材１５は、各取付孔に固定用回転金具１９を挿入して、蓋体１２およびプリンタ台１３に回転可能に取り付けられている。
【００２０】
図２に示すように、各留金１６は、蓋体１２を閉じたとき蓋体１２をケース本体１１に固定可能に、ケース本体１１と蓋体１２との開口部を挟んで設けられている。
持ち手１７は、硬質のプラスチック製であり、留金１６が設けられている囲い部１２ｂの外面１２ｄの中央部に設けられている。
【００２１】
次に、作用について説明する。
図１に示すように、パソコン収納バッグ１０では、ケース本体１１に携帯型パソコン１を載せ、プリンタ台１３の上に小型のプリンタ２を載せて、それらを収納して持ち運ぶことができる。図３に示すように、プリンタ２とパソコン１とを配線ケーブル３で予め接続し、プリンタ２およびパソコン１の電源ケーブル４ａ，４ｂをアダプターボックス１３ａのＡＣアダプター１３ｂに予め接続しておくことにより、移動先で使用するたびに接続する手数と時間とを省き、迅速な印刷が可能となる。
【００２２】
図１および図４（ａ）に示すように、移動先で使用するとき、ケース本体１１を下側にした状態で蓋体１２を開く。蓋体１２を開いたとき、プリンタ台１３が第１リンク部材１４および第２リンク部材１５により蓋体１２とともに移動してケース本体１１の上方でケース本体１１に対しずれるよう平行運動する。これにより、プリンタ２に遮られることなく、パソコン１の操作が可能となっている。パソコン１のハードディスク、CD-ROM、ＦＤ等の記憶内容は、プリンタ２で印刷することができる。このように、移動先でノート型パソコン１の記憶内容を容易かつ迅速に印刷可能である。
【００２３】
なお、図３に示すように、デジタルカメラ５ａ、携帯端末５ｂ、その他の電子機器５ｃからパソコン１にデータを取り込んだり、それを印刷したりすることもできる。
蓋体１２を閉じると、第１リンク部材１４および第２リンク部材１５により、プリンタ台１３はケース本体１１と蓋体１２の間に移動する。これにより、ケース本体１１と蓋体１２との内部に再びパソコン１およびプリンタ２を収納することができる。
【００２４】
図４（ｂ）は、本考案の第２の実施の形態のパソコン収納バッグ２０を示している。
図４（ｂ）に示すように、パソコン収納バッグ２０は、ケース本体２１と蓋体２２とプリンタ台２３とパソコン台２４と２つの伝動用連結部材２５とを有している。
【００２５】
ケース本体２１は、矩形台部２１ａと側壁部２１ｂとを有している。側壁部２１ｂは、矩形台部２１ａを取り囲むように矩形台部２１ａの縁部に沿って垂直に設けられ、開放部２１ｃを有している。開放部２１ｃは、矩形台部２１ａの長さ方向に沿った一方の側壁部２１ｂに、矩形台部２１ａに対して蝶番により開閉可能に設けられている。ケース本体２１は、蓋体２２を開いた状態でパソコンを収納して操作可能に構成されている。
【００２６】
蓋体２２は、矩形蓋部２２ａと囲い部２２ｂとを有している。囲い部２２ｂは、矩形蓋部２２ａを取り囲むように矩形蓋部２２ａの縁部に沿って垂直に設けられている。蓋体２２は、ケース本体２１に対しヒンジ部材２６により互いに開閉可能に結合されている。ヒンジ部材２６は、２つの蝶番から成り、ケース本体２１の開放部２１ｃと対向する側壁部２１ｂの外面と、蓋体２２の長さ方向に沿った囲い部２２ｂの一方の外面とを接続するよう設けられている。
ケース本体２１および蓋体２２は、蓋体２２を閉じたとき直方体になり、隙間ができないよう形成されている。
【００２７】
プリンタ台２３は、矩形状であり、ケース本体２１と蓋体２２との間に設けられている。プリンタ台２３は、ケース本体２１を下側にした状態でプリンタを上に設置可能である。プリンタ台２３は、ケース本体２１から開いた蓋体２２の方向にレール（図示せず）に沿って前後方向に平行移動可能となっている。
【００２８】
パソコン台２４は、矩形状であり、ケース本体２１に設けられている。パソコン台２４は、ケース本体２１を下側にした状態でパソコンを上に設置可能である。パソコン台２４は、ケース本体２１の矩形台部２１ａから開放部２１ｃにかけて前後方向に平行移動可能となっている。
【００２９】
各連結部材２５は、ワイヤから成り、伝動軸２７を介してプリンタ台２３およびパソコン台２４に連結されている。伝動軸２７は、ケース本体２１の開放部２１ｃと対向する側壁部２１ｂの内面に、その側壁部２１ｂに沿って設けられている。各連結部材２５は、プリンタ台２３の幅方向に沿った側面２３ａ、およびパソコン台２４の幅方向に沿った側面２４ａに連結されている。各連結部材２５は、プリンタ台２３およびパソコン台２４を互いに反対方向に平行移動させるよう、２組の対応するプリンタ台２３およびパソコン台２４の側面２３ａ，２４ａに、それぞれ両端が連結されている。
【００３０】
次に、作用について説明する。
パソコン収納バッグ２０では、パソコン台２４にノート型パソコンを載せ、プリンタ台２３の上に小型のプリンタを載せて、それらを収納して持ち運ぶことができる。プリンタとパソコンとの配線ケーブルは予め接続しておくことにより、移動先で使用するたびに接続する手数と時間とを省き、迅速な印刷が可能となる。
【００３１】
図４（ｂ）に示すように、移動先で使用するとき、ケース本体２１を下側にした状態で蓋体２２を開く。開放部２１ｃを開き、パソコン台２４を平行移動させると、プリンタ台２３が連結部材２５によりパソコン台２４と反対方向に平行移動する。これにより、プリンタに遮られることなく、パソコンの操作が可能となっている。パソコンのハードディスク、CD-ROM、ＦＤ等の記憶内容は、プリンタで印刷することができる。このように、移動先でノート型パソコンの記憶内容を容易かつ迅速に印刷可能である。
【００３２】
パソコン台２４を元の位置に平行移動させると、プリンタ台２３が連結部材２５により元の位置に平行移動する。開放部２１ｃおよび蓋体２２を閉じ、ケース本体２１と蓋体２２との内部に再びパソコンおよびプリンタを収納することができる。
【００３３】
図４（ｃ）は、本考案の第３の実施の形態のパソコン収納バッグ３０を示している。
図４（ｃ）に示すように、パソコン収納バッグ３０は、ケース本体３１と蓋体３２とプリンタ台３３とパソコン台３４とを有している。
【００３４】
ケース本体３１は、矩形台部３１ａと側壁部３１ｂと開放部３１ｃとを有している。側壁部３１ｂは、矩形台部３１ａを取り囲むように矩形台部３１ａの縁部に沿って垂直に設けられ、開放部３１ｃを有している。開放部３１ｃは、矩形台部３１ａの長さ方向に沿った一方の側壁部３１ｂに、矩形台部３１ａに対して蝶番により開閉可能に設けられている。ケース本体３１は、蓋体３２を開いた状態でパソコンを収納して操作可能に構成されている。
【００３５】
蓋体３２は、矩形蓋部３２ａと囲い部３２ｂとを有している。囲い部３２ｂは、矩形蓋部３２ａを取り囲むように矩形蓋部３２ａの縁部に沿って垂直に設けられている。蓋体３２は、ケース本体３１に対しヒンジ部材３５により互いに開閉可能に結合されている。ヒンジ部材３５は、２つの蝶番から成り、ケース本体３１の開放部３１ｃと対向する側壁部３１ｂの外面と、蓋体３２の長さ方向に沿った囲い部３２ｂの一方の外面とを接続するよう設けられている。
ケース本体３１および蓋体３２は、蓋体３２を閉じたとき直方体になり、隙間ができないよう形成されている。
【００３６】
プリンタ台３３は、矩形状であり、ケース本体３１の開放部３１ｃと対向する側壁部３１ｂの内面に設けられている。プリンタ台３３は、ケース本体３１の矩形台部３１ａとの間に、パソコンを収納可能に設けられている。プリンタ台３３は、ケース本体３１を下側にした状態でプリンタを上に設置可能である。
【００３７】
パソコン台３４は、矩形状であり、ケース本体３１に設けられている。パソコン台３４は、ケース本体３１を下側にした状態でパソコンを上に設置可能である。パソコン台３４は、ケース本体３１の矩形台部３１ａから開放部３１ｃにかけて前後方向に平行移動可能となっている。
【００３８】
次に、作用について説明する。
パソコン収納バッグ３０では、パソコン台３４にノート型パソコンを載せ、プリンタ台３３の上に小型のプリンタを載せて、それらを収納して持ち運ぶことができる。プリンタとパソコンとの配線ケーブルは予め接続しておくことにより、移動先で使用するたびに接続する手数と時間とを省き、迅速な印刷が可能となる。
【００３９】
図４（ｃ）に示すように、移動先で使用するとき、ケース本体３１を下側にした状態で蓋体３２を開く。開放部３１ｃを開き、プリンタに遮られない位置までパソコン台３４を平行移動させる。これにより、パソコンの操作が可能となっている。パソコンのハードディスク、CD-ROM、ＦＤ等の記憶内容は、プリンタで印刷することができる。このように、移動先でノート型パソコンの記憶内容を容易かつ迅速に印刷可能である。
パソコン台３４を元の位置に平行移動させて開放部３１ｃおよび蓋体３２を閉じ、ケース本体３１と蓋体３２との内部に再びパソコンおよびプリンタを収納することができる。
【図面の簡単な説明】
【００４０】
【図１】本考案の第１の実施の形態のパソコン収納バッグの蓋体を開いた状態を示す斜視図である。
【図２】図１に示すパソコン収納バッグの蓋体を閉じた状態を示す斜視図である。
【図３】図１に示すパソコン収納バッグに収納されたプリンタおよびパソコンの配線状態を示す斜視図である。
【図４】（ａ）図１に示すパソコン収納バッグのプリンタおよびパソコン使用時の状態を示す側面図、（ｂ）本考案の第２の実施の形態のパソコン収納バッグのプリンタおよびパソコン使用時の状態を示す側面図、（ｃ）本考案の第３の実施の形態のパソコン収納バッグのプリンタおよびパソコン使用時の状態を示す側面図である。
【符号の説明】
【００４１】
１    パソコン
２    プリンタ
１０  パソコン収納バッグ
１１  ケース本体
１２  蓋体
１３  プリンタ台
１４  第１リンク部材
１５  第２リンク部材
１６  留金
１７  持ち手
【図１】
0003101729.tif 000003
【図２】
0003101729.tif 000004
【図３】
0003101729.tif 000005
【図４】
0003101729.tif 000006